(57)【要約】  本発明のディスクカートリッジは、上壁と下壁、及びこれらの上壁と下壁とを連結する側壁を備えて、ディスクが収納される内部収納空間を形成するケースと、ディスクドライブの記録／再生ユニットがディスクにアクセスできるように、上壁及び下壁のうち少なくとも何れか一つに設けられる開口と、ディスクの出入が可能であるように、ケースの側壁に開放されて形成された出入口と、を備えて、出入口を通じてディスクを交替することを特徴とする。
2007511026.tif 000002
【特許請求の範囲】
【請求項１】
上壁と下壁、及び前記上壁と下壁とを連結する側壁を備えて、ディスクが収納される内部収納空間を形成するケースと、
ディスクドライブの記録／再生ユニットが前記ディスクにアクセスできるように、前記上壁及び下壁のうち、少なくとも何れか一つに設けられる開口と、
前記ディスクの出入が可能であるように、前記ケースの側壁に開放されて形成された出入口とを備えることを特徴とするディスクカートリッジ。
【請求項２】
前記ケースは、
前記上壁、及び前記上壁のエッジから延びて前記側壁の一部をなす上部側壁部を備える上部カバーと、
前記上壁と対面する前記下壁、及び前記下壁のエッジから上方に延びて前記側壁の一部をなす下部側壁部を備える下部カバーとを備えてなることを特徴とする請求項１に記載のディスクカートリッジ。
【請求項３】
前記上部側壁部及び下部側壁部に前記ディスクの記録面と平行した方向に開放されて形成される上部開口部及び下部開口部をさらに備え、
前記上部ケースと前記下部ケースが相互結合されれば、前記上部開口部と前記下部開口部とは相互対面されて前記ディスクの前記記録面に平行した前記開口を形成することを特徴とする請求項２に記載のディスクカートリッジ。
【請求項４】
前記上部ケース及び下部ケースは、所定の締結部材により締結されることを特徴とする請求項２に記載のディスクカートリッジ。
【請求項５】
前記上部ケース及び下部ケースは、熱融着により結合されることを特徴とする請求項２に記載のディスクカートリッジ。
【請求項６】
前記ケース内には、収納されたディスクが前記出入口を通じて任意に離脱しないようにするホールディング手段がさらに備えられることを特徴とする請求項１に記載のディスクカートリッジ。
【請求項７】
前記ホールディング手段は、
前記ケースの相互対向した両側壁から延びて、前記収納空間側に付勢された一対の弾力突起を備えて、
ディスクが前記一対の弾力突起の弾性力を克服して、それらの間の間隔を弾力的に広げ得るときにのみ前記収納空間の内外に移動可能であることを特徴とする請求項６に記載のディスクカートリッジ。
【請求項８】
前記一対の弾力突起間の間隔は、収納されるディスクの直径より狭いことを特徴とする請求項７に記載のディスクカートリッジ。
【請求項９】
前記ケースには、収納されたディスクの非情報領域である最外側の枠部を支持する支持部がさらに設けられたことを特徴とする請求項１に記載のディスクカートリッジ。
【請求項１０】
前記支持部は、
前記上部ケース及び下部ケースからそれぞれ延びて、前記ディスクの最外側の枠部を支持して、前記ディスクの記録面を保護する上部支持部及び下部支持部を備えることを特徴とする請求項９に記載のディスクカートリッジ。
【請求項１１】
前記開口は、前記ディスクの中心を基準として対称に形成されることを特徴とする請求項１に記載のディスクカートリッジ。
【請求項１２】
前記開口は、前記ディスクの中心を基準として何れか一側に偏向して形成されることを特徴とする請求項１に記載のディスクカートリッジ。
【請求項１３】
前記開口の前記出入口側の先エッジを連結する補強部をさらに備えることを特徴とする請求項１に記載のディスクカートリッジ。
【請求項１４】
前記補強部は、前記開口の先端に形成されて、前記開口の先端に該当する前記ケースの変形を防止する上部補正部及び下部補強部を備えることを特徴とする請求項１３に記載のディスクカートリッジ。
【請求項１５】
前記側壁には、相互平行に対面した一対の第１ガイド面が設けられたことを特徴とする請求項１に記載のディスクカートリッジ。
【請求項１６】
前記側壁には、前記一対の第１ガイド面と異なる方向に平行に対面した一対の第２ガイド面がさらに設けられることを特徴とする請求項１５に記載のディスクカートリッジ。
【請求項１７】
前記一対の第１ガイド面間の間隔と、前記一対の第２ガイド面間の間隔とは同じであることを特徴とする請求項１６に記載のディスクカートリッジ。
【請求項１８】
前記上壁及び下壁は、前記出入口側から前記開口が備えられた第１領域と、前記第１領域を除いた第２領域とを有し、前記上壁及び下壁のうち少なくとも何れか一つの前記第２領域の少なくとも一部は、前記第１領域から外側に突出していることを特徴とする請求項１に記載のディスクカートリッジ。
【請求項１９】
前記第２領域は、前記下部ケースに形成されることを特徴とする請求項１８に記載のディスクカートリッジ。
【請求項２０】
前記ディスクカートリッジの一部を収納するものであって、前記ケースを収納する収納空間と、前記収納空間を形成する外壁とを備えるカバーをさらに備えることを特徴とする請求項１に記載のディスクカートリッジ。
【請求項２１】
前記外壁には、前記ケースが出入する開口が設けられたことを特徴とする請求項２０に記載のディスクカートリッジ。
【請求項２２】
前記カバーは、前記ケースを前記カバーから離脱させない突出部をさらに備え、
前記突出部は、前記外壁から前記収納空間側に相互対面して突出することを特徴とする請求項２１に記載のディスクカートリッジ。
【請求項２３】
前記ケースを前記カバーから分離させないために、前記相互対面した突出部間の間隔は、前記ケースの幅より狭いことを特徴とする請求項２２に記載のディスクカートリッジ。
【請求項２４】
ディスクが摺動して出入する開口を備える受容壁（第１領域）と、
前記受容壁を越えて上方に延びた側壁（第２領域）とを備え、
ディスクドライブに挿入されるディスクカートリッジの強度を補強するために、前記側壁の厚さは、前記受容壁より厚いことを特徴とするディスクカートリッジ。
【請求項２５】
前記開口の先端に形成されて、前記開口の先端に該当する前記ケースの変形を防止する補強部をさらに備えることを特徴とする請求項２４に記載のディスクカートリッジ。
【請求項２６】
前記受容壁内に位置して、前記ディスクが前記受容壁の内部に摺動されて挿入される間に、前記ディスクのエッジを支持する上部支持部及び下部支持部と、
前記受容壁の内部に設けられ、前記開口の中心に向かって相互付勢された弾力突起とを備え、
前記ディスクは、前記弾力突起の弾性力を克服して、それら間の間隔を弾力的に広げて前記開口を通じて挿入されることを特徴とする請求項２４に記載のディスクカートリッジ。
【請求項２７】
前記ディスクが前記開口内に位置すれば、前記弾力突起は、本来の位置に戻って、前記ディスクを前記ディスクカートリッジから離脱させないことを特徴とする請求項２６に記載のディスクカートリッジ。
【発明の詳細な説明】
【技術分野】
【０００１】
本発明は、情報記録／再生媒体であるディスクを収納して、その記録面が汚染されないように保護するディスクカートリッジに関する。
【背景技術】
【０００２】
図１は、従来に使用されていたディスクカートリッジを示す図である。図示された従来のディスクカートリッジは、回転軸１４を中心に相互回転しつつ開閉可能に結合された上部ケース１１及び下部ケース１２を備え、その間に形成された収納空間にディスクＤを収納するように構成されている。したがって、ディスクの記録／再生作業時には、図２に示すように、ディスクＤが収納された上部ケース１１及び下部ケース１２を閉じた後にディスクドライブ（図示せず）内に進入させ、ディスクを交換しようとする時には、再び図１のように、上部ケース１１及び下部ケース１２を開けて、その内部に収納されたディスクを他のものに交替する。１２ｂは、ディスクドライブ内でピックアップ（図示せず）などがカートリッジ内のディスクＤにアクセスできるように前記下部ケース１２に形成された開口を表し、１３は、この開口１２ｂを塞いでいて、ディスクドライブ内で開けてくれるシャッタを表す。そして、１１ａは、閉鎖状態で下部ケース１２のロッキング部１２ａにかかるように上部ケース１１に設けられた弾力フック部を表すものであり、カートリッジを開ける時には、この弾力フック部１１ａがロッキング部１２ａから外れるように若干弾性変形させた後に持ち上げればよい。
【０００３】
ところが、このような構成では、ディスクを交替するごとにカートリッジを開閉する。さらに、最近のカートリッジは、ほとんどスリーム化されてその厚さが非常に薄いため、これを開けるためには、上部ケース１１及び下部ケース１２を両手でそれぞれ取って広げることが難しい。また、交替作業を繰り返せば、弾力フック部１１ａが変形または破損されて、それ以上カートリッジを使用できなくなるという問題が発生しうる。
【発明の開示】
【発明が解決しようとする課題】
【０００４】
本発明は、前記問題点に鑑みてなされたものであって、ディスクの交替作業をさらに便利かつ安定的に行えるように改善されたディスクカートリッジを提供するところにその目的がある。
【課題を解決するための手段】
【０００５】
前記目的を解決するための本発明のディスクカートリッジは、上壁と下壁、及び前記上壁と下壁とを連結する側壁を備えて、ディスクが収納される内部収納空間を形成するケースと、ディスクドライブの記録／再生ユニットが前記ディスクにアクセスできるように、前記上壁及び下壁のうち少なくとも何れか１つに設けられる開口と、前記ディスクの出入が可能であるように、前記ケースの側壁に開放されて形成された出入口とを備えることを特徴とする。
【０００６】
前記ディスクカートリッジは、前記ケースの前記出入口から少なくとも前記開口が形成された領域までを収容できる収納空間が設けられたカバーをさらに備え得る。
【発明を実施するための最良の形態】
【０００７】
以下、添付された図面を参照して、本発明に係る望ましい実施形態を詳細に説明する。
【０００８】
図３は、本発明に係るディスクカートリッジの一実施形態を示す分解斜視図であり、図４は、図３に示す本発明に係るディスクカートリッジの一実施形態の結合状態を示す斜視図である。図３及び図４に示すように、ディスクカートリッジ１００は、ディスクＤが挿入されるケース１００を備える。ケース１００は、上部ケース２１０及び下部ケース２２０を備える。上部ケース２１０は、上壁２１１と、この上壁２１１の枠から下方に延びた上部側壁部２１２と、を備える。下部ケース２２０は、上壁２１１と対向する下壁２２１と、この下壁２２１の枠から上方に延びた下部側壁部２２２と、を備える。側壁部２１２，２２２には、収納されるディスクＤの記録面と平行方向に開放された部位２１３，２２３がそれぞれ形成されている。この上部ケース２１０及び下部ケース２２０は、それぞれに設けられた結合溝２１４と結合突起２２４とが結合しつつ１次に結合され、次いで、それぞれに設けられた締結孔２１５，２２５を通じてスクリューＳが結合されることによって完全に一体に結合される。上部ケース２１０及び下部ケース２２０は、熱融着により一体に結合されてもよい。
【０００９】
上部ケース２１０と下部ケース２２０との結合が完了すれば、側壁部２１２，２２２が相互噛み合いつつ、図４に示すような側壁１１２を形成し、上壁２１１及び下壁２２１と側壁１１２との間の空間は、ディスクＤが収納される内部収納空間１１３となる。これにより、上壁２１１、下壁２２１、側壁１１２及び内部収納空間１１３を備えるケース１１０が形成される。また、上部ケース２１０と下部ケース２２０とが結合されれば、それぞれに設けられた上部開放部２１３と下部開放部２２３とが相互対面しつつ、図４のように、ディスクＤがその記録面と平行方向に出入可能な出入口１２０を形成する。
【００１０】
本発明では、ディスクの交換作業がこの出入口１２０を通じて行われる。すなわち、ここでは、上部ケース２１０及び下部ケース２２０を開閉する作業を行わず、この出入口１２０を通じてディスクＤをケース１１０の内部の収納空間１１３に押し込み、交換時には出入口１２０の外部へそのまま引っ張って取り出すように構成されたものである。これにより、ディスクの挿入及び取り出し作業が非常に簡単になる。ディスクカートリッジ１００は、出入口１２０を通じてケース１１０の中へ挿入したディスクＤが勝手に再び出入口１２０外へ外れないように、適切にホールディングする手段がさらに備えられることが望ましい。このようなホールディング手段としては、図３の前記下部ケース２２０の側壁部２２２に形成された一対の弾力突起１４０が備えられる。この一対の弾力突起１４０は、図３ないし図５に示すように、ケース１１０の内部収納空間１１３側に付勢されており、両側の弾力突起１４０間の幅Ｗ１は、収納されるディスクＤの直径Ｗ２より狭い。したがって、ディスクＤが出入口１２０を通じてケース１１０の内外に移動するためには、この弾力突起１４０の弾性力を克服しつつ、これら間の幅Ｗ１をディスクの直径Ｗ２以上に広げる必要がある。言い換えれば、ケース１１０の収納空間内に一旦入ったディスクＤは、前記弾力突起１４０間の幅Ｗ１を弾力的に広げ得るほどの力が作用されない限り、ケース１１０から外れない。
【００１１】
ディスクカートリッジ１００がディスクドライブ（図示せず）内に装着されたとき、ディスクＤを回転させるために、ディスクＤの中心ホールＨに結合されるスピンドルモータ（図示せず）のターンテーブル（図示せず）と、クランパー（図示せず）及びディスクＤに情報を記録及び／または再生させるピックアップ（図示せず）などの記録／再生ユニットがディスクＤにアクセスできなければならない。このため、図４に示すように、ケース１１０には開口１３０が設けられる。開口１３０は、図４に示すように、上壁２１１と下壁２２１ともに設けられてもよく、上壁２１１及び下壁２２１のうち何れか一つに設けられてもよい。開口１３０は、ディスクＤの中心ホールＨから出入口１２０側に延びたスロット状である。本実施形態の開口１３０は、ディスクＤの中心を基準として対称に形成される。本実施形態のディスクカートリッジ１００は、この開口１３０を開閉するためのシャッタを備えていない。それは、ディスクカートリッジ１００にディスクＤを収納して使用する主目的が、運搬中に記録面に指紋をつけないためであるが、ディスクＤの一部が露出しているものの、前記上部ケース２１０及び下部ケース２２０を取って運搬すれば、ディスクＤの記録面には指紋がつかないので、あえてシャッタまで設置して開口１３０を必ずしも塞ぐ必要はないためである。
【００１２】
１５０は、収納されたディスクＤの記録面の保護のために、非情報領域である最外側の枠部が載置するように、上部ケース２１０及び下部ケース２２０に突設された支持部を表し（図９を参照）、２１６、２２６、２１７、２２７は、ディスクドライブ内でディスクカートリッジ１００のローディングを正確に位置させるための位置決定ホールを表す。そして、１６０は、上部ケース２１０に設けられたラベル領域を、１１１ａ（図８参照）は、出入口１２０と反対側の側壁１１２に設けられたラベル領域を表す。図面には図示されていないが、下部ケース２２０の表面にも上部ケース２１０のような位置にラベル領域が設けられている。
【００１３】
前記のように、上部ケース２１０及び下部ケース２２０が一体に結合されたディスクカートリッジ１００にディスクＤを収納させるときには、まず、図４に示すように、ディスクＤの中央ホールＨの内壁と最外側の枠部とを指で取った状態で、出入口１２０を通じてディスクＤを押し込む。これにより、図５に示すように、ディスクＤが弾力突起１４０の収納空間１１３側へ突出した先エッジに当たる。この状態でディスクＤを押し込み続ければ、図６に示すように、弾力突起１４０が変形されつつ、その間隔が広がる。以後、図７のように、ディスクＤが完全に収納空間１１３内へ入れば、弾力突起１４０は、本来の位置に戻ってディスクＤの離脱を防止する。したがって、以後には、ディスクＤがケース１００内へ安全に収納され、運搬時には、ディスクカートリッジ１００の上部ケース１１０及び下部ケース１２０を取って運搬すればよい。そして、このようにディスクＤが収納されたカートリッジ１００をディスクドライブにローディングすれば、前記開口１３０を通じてピックアップ（図示せず）がディスクＤの記録面にアクセスしつつ記録／再生作業を進める。
【００１４】
一方、逆にディスクＤを取り出そうとする場合には、同様に、ディスクＤの中央ホールＨの内壁と最外側の枠部とを指で取って、出入口１２０の外側へディスクＤを引っ張る。これにより、ディスクＤが一対の弾力突起１４０間の間隔を弾力的に広げつつ収納空間１１３から外れる。
【００１５】
結局、前記のような構成のディスクカートリッジによれば、ディスク交換作業時に出入口を通じてディスクを押し込んだり引っ張ることだけでよいので、作業が非常に簡単かつ便利になる。
【００１６】
図１０は、図３に示すディスクカートリッジの変形可能な例を示す図である。ディスクカートリッジ１００は、上部及び下部支持部１３１をさらに備える。上部及び下部支持部１３１は、開口１３０の先端に形成されて、ケース１１０の開口１３０の先端に該当する部分の変形を防止する。ケース１１０の開口１３０の先端に該当する部分は、出入口１２０と連通されて完全に開放された所であるので、変形され易い。したがって、図１０に示すように、開口１３０の先端に補強部１３１を形成すれば、ケース１１０の開口１３０の先端に該当する部分の変形を抑制できる。
【００１７】
一方、側壁１１２には、相互平行に対面した一対の第１ガイド面１７０が設けられる。一対の第１ガイド面１７０は、ディスクカートリッジ１００がディスクドライブに装着されるとき、ディスクドライブに設けられたホルダ（図示せず）との面接触を維持させる。一対の第１ガイド面１７０は、図１０に示すように、開口１３０と同じ方向に形成されることが望ましいが、これにより本発明の範囲が限定されるものではない。
【００１８】
また、ディスクカートリッジ１００がディスクドライブに装着されるときにもディスクドライブに設けられたホルダ（図示せず）との面接触を維持させるためのものであって、側壁１１２には、一対の第１ガイド面１７０と異なる方向に平行に対面した一対の第２ガイド面１７１がさらに設けられてもよい。この場合に、一対の第１ガイド面１７０間の間隔Ｗ３と一対の第２ガイド面１７１間の間隔Ｗ４とを同一にすれば、ディスクカートリッジ１００がディスクドライブに装着されるときに、矢印Ａ、Ｂ方向のうち何れか一つの方向にも装着され得る。ただし、これにより、本発明の範囲が限定されるものではない。
【００１９】
図１１は、本発明に係るディスクカートリッジの他の実施形態を示す分解斜視図であり、図１２は、図１１に示すディスクカートリッジの他の実施形態の結合状態を示す斜視図である。以下で、図３ないし図１０に示す構成要素とその機能が実質的に同じ構成要素は、同じ参照符号で表示し、その重複説明を省略する。
【００２０】
図１１及び図１２に示すように、ディスクカートリッジ１００ａは、ケース３００を備える。ケース３００は、上部ケース３１０及び下部ケース３２０を備える。上部ケース３１０は、上壁２１１と、この上壁２１１の枠から下方に延びた上側壁部２１２とを備える。下部ケース３２０と、下壁２２１と、この下壁２２１の枠から上方に延びた下部側壁部２２２とを備える。上部ケース３１０と下部ケース３２０とが結合されることによって、上壁２１１、下壁２２１、側壁１１２及び内部収納空間１１３を備えるケース３００が形成される。また、上部ケース３１０と下部ケース３２０とが結合されれば、そのそれぞれに設けられた上部２１３と上部開放部２２３とが相互対面しつつ、図１２のように、ディスクＤがその記録面と平行方向に出入できる出入口１２０を形成する。
【００２１】
このような構成により、出入口１２０を通じてケース３００にディスクＤを押し込めば、弾力突起１４０の間隔が広がりつつ、ディスクＤが完全に収納空間１１３内へ入り、弾力突起１４０が本来の位置に戻ってディスクＤの離脱を防止する。
【００２２】
ケース３００には開口１３３が設けられる。本実施形態のディスクカートリッジ１００ａは、ディスクＤの中心ホールＨを基準として非対称形状を有する開口１３３を備える。開口１３３は、ディスクカートリッジ１００ａの強度を低下させない限度内で大きいほど有利であるので、あえて対称形状にする必要はない。また、開口１３３は、上部ケース３１０にのみ設けられる。
【００２３】
図１３は、図１１に示すディスクカートリッジ１００ａの一変形例を示す斜視図である。図１３に示すように、ディスクカートリッジ１００ａは、開口１３３の先端に形成されて、ケース３００の開口１３０の先端に該当する部分の変形を防止するための補強部１３１をさらに備える。また、図１０で説明したような一対の第１ガイド面１７０が設けられ、一対の第１ガイド面１７０と異なる方向に平行に対面した一対の第２ガイド面１７１がさらに設けられてもよい。この場合に、一対の第１ガイド面１７０の間の間隔Ｗ３と、一対の第２ガイド面１７１間の間隔Ｗ４とを同一にしうる。
【００２４】
本実施形態のディスクカートリッジ１００ａは、断面ディスク用Ｄとしてケース３００の一方にのみ開口１３３が形成されているので、ターンテーブルと対面して断面ディスクＤをターンテーブルに固定させるクランパーを使用できない。この場合に、断面ディスクＤは、磁性によってターンテーブルに付着される。断面ディスクＤは、中心ホールＨの周りの非情報領域に金属製（例えば、磁性ステンレス鋼）のハブｈが設けられている。ディスクカートリッジ１００ｂがディスクドライブに装着されれば、ターンテーブルのマグネットと金属製のハブｈとが磁性により結合されることによって、断面ディスクＤはスピンドルモータにより回転する。
【００２５】
図１２に示すように、上部ケース３１０は、出入口１２０から開口１３３を備える第１領域３１１と、その以外の領域である第２領域３１２と、を備える。第１領域３１１は、ディスクＤをアクセスするためのピックアップなどの作動領域であって、干渉を防止するためには可能なかぎり薄いことが望ましい。第２領域３１２は、作動領域から離れた領域であって、ディスクカートリッジ１００ａの強度を構造補強するためには可能なかぎり厚いことが望ましい。このような必要性によって、本実施形態では、第２領域３１２が第１領域３１１から外側に（図１２では上方に）突出している。したがって、ピックアップなどの作動領域を可能なかぎり、余裕のあるように維持しつつもディスクカートリッジ１００ａの構造強度を向上させ得る。本実施形態では、第２領域３１２の全体が突出しているが、これにより、本発明の範囲が限定されるものではない。図面に示されていないが、第２領域３１２の一部のみが突出してもよい。また、図面に示されていないが、下部ケース３２０にも突出した第２領域が設けられてもよい。
【００２６】
図１４は、本発明に係るディスクカートリッジの他の実施形態を示す斜視図であり、本実施形態に係るディスクカートリッジ１００ｂは、ディスクＤを保護するためのカバー４００をさらに備えることを特徴とする。本実施形態では、便宜上、図１１ないし図１３に示すケース３００に適用されるカバーについて説明するが、図３ないし図１０に示すケース１１０にも適用され得る。
【００２７】
図１４に示すように、カバー４００は、収納空間４０２と、この収納空間４０２を形成する外壁４０１と、を備える。収納空間４０２は、ケース３００の出入口１２０から少なくとも開口１３３の形成された領域までを収容できるように設けられる。外壁４０１の一部は、ケース３００が出入可能に開放されている。外壁４０１には、相互対面して収納空間４０２側に突出した一対の突出部４０４が備えられる。一対の突出部４０４の間隔Ｗ５は、ケース３００が任意にカバー４００から外れないようにケース３００の幅Ｗ３より若干狭いものが望ましい。
【００２８】
ディスクカートリッジ１００ｂは、図１４に点線で示すように、ケース３００とカバー４００とが結合された状態で運搬され、ディスクドライブに装着するときには、カバー４００は分離され、ケース３００のみが装着される。このようなディスクカートリッジ１００ａによれば、運搬時に開口１３３を通じてディスクＤの記録面が汚染されることを防止できる。
【００２９】
本発明は、前記で説明されて図面に例示されたものに限定されるものではなく、特許請求の範囲内でさらに多くの変形及び変容例が可能であるということは言うまでもない。
【産業上の利用可能性】
【００３０】
本発明のディスクカートリッジは、次のような効果を有する。
【００３１】
第一に、出入口を通じてディスクを押し込んだり逆に引っ張りつつ、収納及び取り出し作業を行えるため、交換作業が簡便、かつ迅速になる。
【００３２】
第二に、ケースを随時開閉する必要がないので、頻繁な開閉作業によるケースの変形や破損を防止できる。
【００３３】
第三に、第１領域及び第２領域の厚さを異ならせることによって、ピックアップなどの作動領域を確保しつつ、ディスクカートリッジの構造強度を向上させ得る。
【００３４】
第四に、カバーをさらに備えることによって、運搬時に指紋によるディスク記録面の汚染防止の役割を十分に行えつつも構造が簡単で、製品コストの側面において有利である。
【図面の簡単な説明】
【００３５】
【図１】従来のディスクカートリッジにおいて、ケースの開放状態を示す図である。
【図２】従来のディスクカートリッジにおいて、ケースの閉鎖状態を示す図である。
【図３】本発明に係るディスクカートリッジの分離斜視図である。
【図４】図３に示すディスクカートリッジの結合斜視図である。
【図５】図３に示すディスクカートリッジにディスクが進入する過程をステップ別に示す図である。
【図６】図３に示すディスクカートリッジにディスクが進入する過程をステップ別に示す図である。
【図７】図３に示すディスクカートリッジにディスクが進入する過程をステップ別に示す図である。
【図８】図３に示すディスクカートリッジにディスクが進入する過程をステップ別に示す図である。
【図９】図７のIX−IX線による断面図である。
【図１０】図３に示すディスクカートリッジの変形可能な例を示す図である。
【図１１】本発明に係るディスクカートリッジの他の実施形態を示す分解斜視図である。
【図１２】図１１に示すディスクカートリッジの他の実施形態の結合状態を示す斜視図である。
【図１３】図１１に示すディスクカートリッジの変形可能な例を示す斜視図である。
【図１４】本発明に係るディスクカートリッジの他の実施形態を示す斜視図である。
【図１】
2007511026.tif 000003
【図２】
2007511026.tif 000004
【図３】
2007511026.tif 000005
【図４】
2007511026.tif 000006
【図５】
2007511026.tif 000007
【図６】
2007511026.tif 000008
【図７】
2007511026.tif 000009
【図８】
2007511026.tif 000010
【図９】
2007511026.tif 000011
【図１０】
2007511026.tif 000012
【図１１】
2007511026.tif 000013
【図１２】
2007511026.tif 000014
【図１３】
2007511026.tif 000015
【図１４】
2007511026.tif 000016
【国際調査報告】
2007511026.tif 000017